(57)【要約】【課題】電気光学パネルとバックライトユニットを安定して保持できると共に、電気光学パネルとバックライトユニットを容易に取り外すことができる電気光学装置を提供する。【解決手段】液晶パネル２と、液晶パネル２と対向して配置されるバックライトユニット３と、液晶パネル２とバックライトユニット３を保持するフレーム４と、液晶パネル２の画素領域に対応する窓部５１ａを有すると共に周辺領域を覆うカバー５とを備え、カバー５の側壁に係合部として係合穴５２ｃを形成し、バックライトユニット３に係合突起３ａを側方に突出して設け、係合穴５２ｃと係合突起３ａとを係合してカバー５を設置する電気光学装置。【選択図】図４
2010117640.tif 000002
【特許請求の範囲】
【請求項１】
複数の画素からなる画素領域及び該画素領域の周辺に設けられた周辺領域を有する電気
光学パネルと、
前記電気光学パネルと対向して配置されるバックライトユニットと、
前記電気光学パネル及び前記バックライトユニットを保持するフレームと、
前記電気光学パネルの前記画素領域に対応して開口された窓部を有すると共に、前記周
辺領域を覆うカバーとを備え、
前記カバーの側壁に、前記バックライトユニットと係合するための係合部が設けられた
ことを特徴とする電気光学装置。
【請求項２】
前記カバーの側壁に、前記係合部として係合穴を形成し、
前記バックライトユニットに係合突起を側方に突出して設け、
前記係合穴と前記係合突起とを係合して前記カバーを設置することを特徴とする請求項
１記載の電気光学装置。
【請求項３】
前記係合突起は、前記電気光学パネル側に形成された第１の面と、前記電気光学パネル
側と反対側に形成された第２の面とを有し、
前記第１の面を、前記電気光学パネルと離れる方向に傾斜する傾斜面とすることを特徴
とする請求項２記載の電気光学装置。
【請求項４】
前記カバーの側壁の端部に、前記係合部として係合爪を設け、
前記バックライトユニットの側部に係合凹部を設け、
前記係合爪と前記係合凹部とを係合して前記カバーを設置することを特徴とする請求項
１記載の電気光学装置。
【請求項５】
前記カバーにより、前記バックライトユニットを前記フレームに付勢することを特徴と
する請求項１〜４の何れかに記載の電気光学装置。
【請求項６】
前記カバーにより、前記電気光学パネルを前記フレームに付勢することを特徴とする請
求項５記載の電気光学装置。
【請求項７】
前記フレームの側壁の前記バックライトユニットからの照射光出射側の端部と前記カバ
ーとが離間していることを特徴とする請求項１〜４の何れかに記載の電気光学装置。
【請求項８】
前記フレームの側壁の側部と前記カバーとが当接していることを特徴とする請求項１〜
７の何れかに記載の電気光学装置。
【請求項９】
前記電気光学パネルは、一対の基板からなり、
前記一対の基板のうち一方の基板の一の側面と、前記一方の基板の前記一の側面と対向
する側面との距離が、前記フレームの内側で対向する面間の距離に対応していることを特
徴とする請求項１〜８の何れかに記載の電気光学装置。
【請求項１０】
請求項１〜９の何れかに記載の電気光学装置を備えることを特徴とする電子機器。
【発明の詳細な説明】
【技術分野】
【０００１】
本発明は、液晶パネル等の電気光学パネルと、電気光学パネルに光を照射するためのバ
ックライトユニットを備える液晶装置等の電気光学装置、及びこの電気光学装置を備える
電子機器に関する。
【背景技術】
【０００２】
液晶装置等の電気光学装置は、コンピュータや携帯電話その他各種電子機器における表
示装置等として用いられており、特に液晶装置は、軽量・薄型で消費電力も少ないことか
ら各種電子機器の表示装置等として広く利用されている。通常、液晶装置には、液晶パネ
ルの背面側に、照明用光源と、その光源からの光を上記パネルに導くための導光板や拡散
板などを１のユニットとして構成したバックライトユニットが配置され、そのバックライ
トユニットによって液晶パネルに背面側から光を照射して正面側の画素領域に所望の画像
を表示する。
【０００３】
斯様な液晶パネルとバックライトユニットは、何らかの手段で一体的に保持されるのが
一般的であり、例えばフレームとカバーで保持される。フレームとカバーで液晶パネルと
バックライトユニットを保持する場合、例えば液晶パネルをフレーム（フレームケース）
の一方側に嵌合装着し、液晶パネルと対向して配置されるバックライトユニットをフレー
ムの他方側に背面パネルで嵌合装着し、天板と側壁を有し、液晶パネルの画素領域に対応
する窓部を有すると共に周辺領域を覆うカバー（シールドケース）をフレームに被装する
（特許文献１参照）。
【０００４】
【特許文献１】特開２００５−７７５５７号公報
【発明の開示】
【発明が解決しようとする課題】
【０００５】
ところで、特許文献１には、フレームに被装するカバーとフレームとの固定や、バック
ライトユニットの背面パネルとフレームとの固定について具体的な開示がないが、例えば
カバーをフレームに固定する際に接着に完全に依拠して固定すると、カバーをフレームか
ら容易に取り外すことができなくなるため、電気光学パネルである液晶パネルに異常が生
じた場合に、その交換や修理に多大な労力を必要とすることになる。また、バックライト
ユニットの背面パネルをフレームに固定する際に接着に完全に依拠して固定すると、同様
にバックライトユニットをフレームから容易に取り外すことができなくなるため、バック
ライトユニットに異常が生じた場合に、その交換や修理に多大な労力を必要とすることに
なる。そのため、電気光学パネルとバックライトユニットを安定して保持できると共に、
電気光学パネルとバックライトユニットを容易に取り外すことができる電気光学装置が求
められている。
【０００６】
本発明は上記問題点を解消するために提案するものであって、電気光学パネルとバック
ライトユニットを安定して保持できると共に、電気光学パネルとバックライトユニットを
容易に取り外すことができる電気光学装置、及びその電気光学装置を備える電子機器を提
供することを目的とする。
【課題を解決するための手段】
【０００７】
本発明の電気光学装置は、複数の画素からなる画素領域及び該画素領域の周辺に設けら
れた周辺領域を有する電気光学パネルと、前記電気光学パネルと対向して配置されるバッ
クライトユニットと、前記電気光学パネル及び前記バックライトユニットを保持するフレ
ームと、前記電気光学パネルの前記画素領域に対応して開口された窓部を有すると共に、
前記周辺領域を覆うカバーとを備え、前記カバーの側壁に、前記バックライトユニットと
係合するための係合部が設けられたことを特徴とする。
本発明によれば、電気光学パネルの周辺領域を覆うカバーの側壁に係合部を設け、その
係合部をバックライトユニットに係合することにより、電気光学パネルとバックライトユ
ニットをフレームとカバーで安定して保持することができる。また、カバーの係合部の係
合を外すことにより、電気光学パネルとバックライトユニットをそれぞれ容易に取り外す
ことが可能であり、電気光学パネルやバックライトユニットの修理や交換が必要になった
場合に容易且つ迅速に対処することができる。また、電気光学パネルやバックライトユニ
ットをフレームに接着する場合に、接着が外れても電気光学パネルやバックライトユニッ
トがフレームから外れることを防止できる。
【０００８】
本発明の電気光学装置は、前記カバーの側壁に、前記係合部として係合穴を形成し、前
記バックライトユニットに係合突起を側方に突出して設け、前記係合穴と前記係合突起と
を係合して前記カバーを設置することを特徴とする。
本発明によれば、カバーの側壁の係合穴をバックライトユニットの係合突起に係合する
ことにより、カバーとバックライトユニットの係合を容易且つ確実に行うことができると
共に、その係合離脱を容易に行うことができる。
【０００９】
本発明の電気光学装置は、前記係合突起は、前記電気光学パネル側に形成された第１の
面と、前記電気光学パネル側と反対側に形成された第２の面とを有し、前記第１の面を、
前記電気光学パネルと離れる方向に傾斜する傾斜面とすることを特徴とする。
本発明によれば、係合突起の第１の面を電気光学パネルと離れる方向に傾斜する傾斜面
とすることにより、カバーの側壁を傾斜面でスムーズに案内し、カバーの係合穴を係合突
起との係合箇所に容易に導くことができる。
【００１０】
本発明の電気光学装置は、前記カバーの側壁の端部に、前記係合部として係合爪を設け
、前記バックライトユニットの側部に係合凹部を設け、前記係合爪と前記係合凹部とを係
合して前記カバーを設置することを特徴とする。
本発明によれば、カバーの係合爪をバックライトユニットの係合凹部に係合することに
より、カバーとバックライトユニットの係合を容易且つ確実に行うことができると共に、
その係合離脱を容易に行うことができる。
【００１１】
本発明の電気光学装置は、前記カバーにより、前記バックライトユニットを前記フレー
ムに付勢することを特徴とする。
本発明によれば、バックライトユニットをフレームの所定位置により安定して設置する
ことができる。
【００１２】
本発明の電気光学装置は、前記カバーにより、前記電気光学パネルを前記フレームに付
勢することを特徴とする。
本発明によれば、電気光学パネルをフレームの所定位置により安定して設置することが
できる。
【００１３】
本発明の電気光学装置は、前記フレームの側壁の前記バックライトユニットからの照射
光出射側の端部と前記カバーとが離間していることを特徴とする。
本発明によれば、離間部分によって、カバーの係合部のバックライトユニットに対する
係合を容易化し、カバーを容易にフレームに装着することができる。
【００１４】
本発明の電気光学装置は、前記フレームの側壁の側部と前記カバーとが当接しているこ
とを特徴とする。
本発明によれば、カバーの設置の安定性を高めることができ、カバーのガタツキを防止
することができる。
【００１５】
本発明の電気光学装置は、前記電気光学パネルは、一対の基板からなり、前記一対の基
板のうち一方の基板の一の側面と、前記一方の基板の前記一の側面と対向する側面との距
離が、前記フレームの内側で対向する面間の距離に対応していることを特徴とする。
本発明によれば、電気光学パネルをフレームに対して容易に位置決めすることができる
。
【００１６】
本発明の電子機器は、本発明の電気光学装置を備えることを特徴とする。
本発明によれば、本発明の電気光学装置の作用効果を有する電子機器を構成することが
できる。
【発明を実施するための最良の形態】
【００１７】
〔第１実施形態の電気光学装置〕
本発明の電気光学装置の例として、液晶装置による第１実施形態の電気光学装置につい
て説明する。図１（ａ）は第１実施形態の電気光学装置を示す平面図、同図（ｂ）はその
側面図、図２、図３及び図４はそれぞれ図１におけるＡ−Ａ、Ｂ−ＢおよびＣ−Ｃ断面図
である。
【００１８】
第１実施形態の電気光学装置としての液晶装置１は、図１〜図４に示すように、電気光
学パネルとしての液晶パネル２と、液晶パネル２の背面側に配設されるバックライトユニ
ット３とを、実装ケース６で保持している。実装ケース６は、液晶パネル２とバックライ
トユニット３とを保持する保持部材であるフレーム４と、フレーム４に保持された液晶パ
ネル２の少なくとも一部を覆うようにして配設される保持部材であるカバー５とから構成
される。なお、カバー５は遮光部材からなる。
【００１９】
フレーム４は、図１〜図４に示すように、前後方向など一の方向で対向する側壁４１、
側壁４２と、対向する側壁４１、４２と交差する方向で対向する側壁４３・４３を有する
と共に、側壁４１〜４３から内側に突出して形成されている支持部４４を有し、中央部に
透光用の開口部４４ａを有する仕切板状の支持部４４を備えた断面略Ｈ字形の枠状に形成
されている。フレーム４は例えばポリカーボネートにより形成され、黒色とされている。
支持部４４の一方側に相当するＨ字形フレーム４の一方の凹部４ａ（図２〜図４の場合は
支持部４４よりも上側の凹部）には、液晶パネル２が収容して取り付けられ、支持部４４
の他方側に相当する他方の凹部４ｂ（図２〜図４の場合は支持部４４よりも下側の凹部）
には、バックライトユニット３が収容して取り付けられている。
【００２０】
液晶パネル２とバックライトユニット３は、凹部４ａ、４ｂでそれぞれ嵌合されるよう
にしてフレーム４により保持されている。液晶パネル２は、例えば対向基板２０の周縁を
素子基板１０と反対側からダイシングで半分程度カットして形成され、液晶パネル２の側
面と段差を有する内側面２０ａを有し、側壁４１〜４３に内側に突出して形成された嵌合
面４５に内側面２０ａを嵌合してフレーム４の凹部４ａに取り付けられている。即ち、対
向基板２０の対向する内側面２０ａ・２０ａ間の距離は、フレーム４の内側で対向する嵌
合面４５・４５間の距離に対応する嵌合可能な寸法で形成され、対向基板２０の内側面２
０ａ・２０ａが嵌合面４５・４５間に嵌合される。バックライトユニット３は、支持部４
４のバックライトユニット側の面と、側壁４１〜４３の内面とで構成される凹部４ｂに嵌
合されている。また、側壁４１・４２には、バックライトユニット３からの漏れ光を防止
可能なフランジ状の突出部４１ａ・４２ａが形成され、その両突出部４１ａ・４２ａ間に
カバー５が配置されている。
【００２１】
液晶パネル２及びバックライトユニット３は、必要に応じて接着材や両面接着テープ等
でフレーム４に固着すると好適であり、本実施形態では液晶パネル２を支持部４４等でフ
レーム４に接着材で固定している。また、バックライトユニット３は、液晶パネル２に対
して所定の領域以外に光が照射されるのを防ぐための遮光部材を兼ねる略方形枠状の両面
接着テープ３１を介して、フレーム４の支持部４４の他方の面（図２〜図４の場合は下面
）に固着されており、支持部４４の先端は両面接着テープ３１よりも内方に突出している
。バックライトユニット３は、微粘着テープの両面接着テープ３１等で着脱可能に固定す
ると、バックライトユニット３のフレーム４からの取り外し時に、取り外し作業を容易化
することができるので好ましい。
【００２２】
カバー５は、図１〜図４に示すように、フレーム４内に収容した液晶パネル２の一方の
面（図２〜図４の場合は上面）を覆う天板５１と、天板５１の幅方向（図３及び図４にお
いて左右方向）両端部に天板５１から略直角に屈曲して形成した側壁５２・５２とを有し
、天板５１で液晶パネル２の一方の面側である外面側を覆うと共に、対向する側壁５２・
５２で、それぞれフレーム４の互いに対向する側壁４３・４３の外面の一部を覆うように
なっている。カバー５の天板５１には、図５に示す液晶パネル２の画素領域２Ａに対応す
る位置に、その部分を開口して形成した窓部５１ａが設けられ、天板５１は、液晶パネル
２の画素領域２Ａの周辺領域を覆うように配置される。カバー５は、例えばステンレス、
アルミ等で形成されると共に、視認可能な外側の面は黒く塗装されており、表示コントラ
ストを高め、視認時の眩しさを防止できるようになっている。
【００２３】
更に、液晶パネル２とバックライトユニット３とをフレーム４に保持させた状態で、カ
バー５の側壁５２とバックライトユニット３とが連結され、４つの部材２〜５が一体化さ
れている。カバー５の側壁５２とバックライトユニット３との連結手段としては、各側壁
５２・５２に係合部である係合穴５２ｃが形成され、係合穴５２ｃに係合する係合突起３
ａがバックライトユニット３の図４の左右両側の端部に一体的に設けられており、係合穴
５２ｃと係合突起３ａとの係合によって連結される。図中、４３ａはフレーム４の各側壁
４３・４３の外面側に、それと一体的に且つカバー５の側壁５２よりも外側に突出して設
けられている張出部であり、張出部４３ａとの干渉を避けるようにして各側壁５２・５２
には凹部５２ａが形成され、凹部５２ａの両側の下向きの突出部５２ｂ・５２ｂにそれぞ
れ係合穴５２ｃが形成されている。
【００２４】
係合穴５２ｃが係合する係合突起３ａは、各係合穴５２ｃに対応してバックライトユニ
ット３の図４で左右両側の端部に、それぞれ２つずつ設けられている。係合突起３ａの一
方側（液晶パネル２側）の第１の面は傾斜面３ａ１、その反対側の第２の面は水平面にな
っており、傾斜面３ａ１は液晶パネル２と離れる方向に傾斜している。傾斜面３ａ１は、
例えば平面状或いは断面視円弧状の凸曲面状とすると好適である。係合突起３ａの傾斜面
３ａ１により、カバー５の係合穴５２ｃを係合突起３ａに係合させる際に、側壁５２が外
側方に押し開かれ、係合穴５２ｃの下側縁部が係合突起３ａを乗り越えることによって、
係合穴５２ｃが係合突起３ａに係合するようになっている。係合穴５２ｃと係合突起３ａ
との係合で取り付けられたカバー５の天板５１の内側面は、フレーム４の側壁４３のバッ
クライトユニット３の照射光出射側の端部４３ｂと離間するように設けられ、その側壁５
２の内側面はフレーム４の側壁４３の外側面と当接するように設けられる。
【００２５】
図１〜図４の液晶装置１で用いる液晶パネル２の構成は適宜であるが、第１実施形態で
は画素用のスイッチング素子として薄膜トランジスタを用いたアクティブマトリックス型
の液晶パネルを用いており、その具体的な構成を図５に基づいて説明する。図５（ａ）は
液晶パネル２の平面図、同図（ｂ）は同図（ａ）におけるａ−ａ断面図である。
【００２６】
第１実施形態の液晶パネル２は、石英やガラスもしくはシリコン等からなる素子基板（
ＴＦＴアレイ基板）１０上に薄膜トランジスタが設けられ、その素子基板１０に対向して
ガラスや石英等からなる対向基板２０が設けられている。一対の基板である素子基板１０
と対向基板２０とは、画素領域（画像表示領域）２Ａの周囲に設けたシール材２４により
相互に接着固定され、シール材２４の内側の素子基板１０と対向基板２０との間には電気
光学物質である液晶層３０が封入されている。図５（ａ）において、２４ａはシール材２
４の一部を欠落させて形成した液晶注入口、２４ｂは液晶注入口２４ａを塞ぐ封止材であ
る。
【００２７】
シール材２４の外側の領域、即ち画素領域２Ａの外側の周辺領域には、不図示のデータ
線に画像信号を所定のタイミングで供給することによりデータ線を駆動するデータ線駆動
回路１４および外部回路接続端子１５が素子基板１０の一辺に沿って設けられている。ま
た不図示の走査線に走査信号を所定のタイミングで供給することにより走査線を駆動する
走査線駆動回路１６が、データ線駆動回路１４が設けられている一辺に隣接する二辺と平
行に且つシール材２４の内側に設けた遮光膜２５に対向する位置において素子基板１０上
に設けられている。素子基板１０の残る一辺には、走査線駆動回路１６の外部回路接続端
子１５側と反対側をつなぐための複数の配線１７が設けられている。
【００２８】
シール材２４の４つのコーナー部における素子基板１０上には上下導通端子１９が形成
され、素子基板１０と対向基板２０相互間には、下端が上下導通端子１９に接触し、上端
が対向電極２０に接触する上下導通材１８が設けられており、その上下導通材１８によっ
て、素子基板１０と対向基板２０との間で電気的な導通がとられている。
【００２９】
素子基板１０上には画素を構成する画素電極１２等が設けられ、その液晶層３０側には
配向膜１３が設けられている。また対向基板２０上にはその略全面に亘って対向電極２２
が設けられ、液晶層３０側にも配向膜２３が設けられている。各配向膜１３，２３は、例
えば、ポリイミド膜等の透明な有機膜からなり、その表面にラビング処理等を施こすこと
によって液晶層３０内の液晶分子が、液晶層３０に供給される電圧に応じて所定の方向に
配向する。
【００３０】
図１〜図４の液晶装置１では、図５の液晶パネル２を、その上下位置を反転してフレー
ム４に配置して保持されているが、液晶パネル２の向きやフレーム４による液晶パネル２
の保持構造等は適宜変更可能である。図１〜図４において、１１、２１は素子基板１０及
び対向基板２０のそれぞれ液晶層３０と反対側に設けた偏光板、２６、２７は、それぞれ
液晶パネル２及びバックライトユニット３と外部の電源や信号入力源とを電気的に接続す
るための導電接続部材を兼ねる可撓性プリント配線基板（ＦＰＣ）、４１ｂ、４１ｃは液
晶パネル２及びバックライトユニット３をフレーム４内に収容する際に、可撓性プリント
配線基板２９、３０がフレーム４の前方の側壁４１と干渉するのを防ぐために側壁４１に
形成した凹部である。
【００３１】
図１〜図４の液晶装置１で用いるバックライトユニット３は、ＬＥＤ等の光源からの光
を導光体や光拡散板等を介して液晶パネル２の背面側に照射する構成であり、それらの構
成部材をケーシング等で覆ってユニット化したものである。バックライトユニット３の構
成部材や内部構造等は適宜変更可能であり、図示例においてはその構成部材や内部構造等
は省略して全体的な外観形状のみを表している。
【００３２】
液晶パネル２及びバックライトユニット３を実装ケース６に収容配置する際の手順は適
宜であるが、例えば以下の手順で行う。先ず、図６（ａ）のようにフレーム４の一方側（
図の場合は上側）の凹部４ａに液晶パネル２を、他方側（図の場合は下側）の凹部４ｂに
バックライトユニット３をそれぞれ挿入して、フレーム４で保持させる。液晶パネル２は
、対向基板２０をフレーム４側に向けて凹部４ａ内に挿入され、内側面２０ａが側壁４１
〜４３の嵌合面４５に嵌合されると共に、液晶パネル２と側壁４１〜４３との接触部分が
接着材で固定される。この際、支持部４４の根元部周辺において、その一方側（液晶パネ
ル２側）の面に凹状の接着材溜り４４ｂを形成し、接着材溜り４４ｂに接着材を溜めて接
着すると、良好な接着が可能となって好適である。バックライトユニット３は、側方に突
出する係合突起３ａ側を支持部４４側にして凹部４ｂ内に挿入され、支持部４４に微粘着
テープである両面接着テープ３１を介して着脱可能に固定される。この際、液晶パネル２
とバックライトユニット３を別々にフレーム４に搭載することが可能であるから、例えば
液晶パネル２をフレーム４に取り付け、その後の検査で良品のもののみに対してバックラ
イトユニット３を取り付けるようにし、余分なコストをかけないようにすることが可能で
ある。
【００３３】
次いで、図６（ｂ）のように、液晶パネル２とバックライトユニット３とを保持するフ
レーム４に対し、液晶パネル２側からカバー５を外嵌し、天板５１で液晶パネル２の外面
側を覆うと共に、対向する側壁５２・５２で、それぞれフレーム４の互いに対向する側壁
４３・４３の外面の一部を覆う。外嵌の際には、カバー５の側壁５２が係合突起３ａによ
って外側方に押し開かれ、係合穴５２ｃの下側の縁部が係合突起３ａを乗り越えることに
よって、各係合穴５２ｃが係合突起３ａに係合する。特に、本実施形態では、係合突起３
ａの傾斜面３ａ１で側壁５２の下側縁部がスムーズに外側に押し広げられ、係合穴５２ｃ
が係合突起３ａにスムーズに係合する。係合穴５２ｃの係合突起３ａへの係合により、カ
バー５の脱落が防止される。
【００３４】
第１実施形態によれば、カバー５の側壁５２に係合部として係合穴５２ｃを設け、係合
部５２ｃをバックライトユニット３の係合突起３ａに係合することにより、液晶パネル２
とバックライトユニット３をフレーム４とカバー５で安定して保持することができる。ま
た、カバー５の係合を外すことにより、液晶パネル２とバックライトユニット３をそれぞ
れ容易に取り外すことが可能であり、液晶パネル２やバックライトユニット３の修理や交
換が必要になった場合に容易且つ迅速に対処することができる。また、液晶パネルや２バ
ックライトユニット３をフレームに接着する場合に、接着が外れても液晶パネル２やバッ
クライトユニット３がフレーム４から外れることを防止できる。
【００３５】
また、係合穴５２ｃと係合突起３ａとの係合により、カバー５とバックライトユニット
３の係合を容易且つ確実に行うことができると共に、その係合離脱を容易に行うことがで
きる。また、係合突起３ａの第１の面を液晶パネル２と離れる方向に傾斜する傾斜面３ａ
１とすることにより、カバー５の側壁５２を傾斜面３ａ１でスムーズに案内し、カバー５
の係合穴５２ｃを係合突起３ａとの係合箇所に容易に導くことができる。
【００３６】
また、フレーム４の側壁４３のバックライトユニット３の照射光出射側の端部４３ｂと
カバー５の天板５１とを離間することにより、カバー５の係合部である係合穴５２ｃのバ
ックライトユニット３の係合突起３ａに対する係合を容易化し、カバー５を容易にフレー
ム４に装着することができる。また、フレーム４の側壁４３の外側面とカバー５の側壁５
２の内側面とを当接することにより、カバー５の設置の安定性を高め、ガタツキを防止す
ることができる。また、対向基板２０の対向する内側面２０ａ・２０ａ間の距離を、フレ
ーム４の内側で対向する嵌合面４５・４５間の距離に対応させ、対向基板２０の内側面２
０ａ・２０ａを嵌合面４５・４５間に嵌合することにより、液晶パネル２をフレーム４に
対して容易に位置決めし、取り付けることができる。
【００３７】
〔第２実施形態の電気光学装置〕
次に、第２実施形態の電気光学装置としての液晶装置について説明する。図７（ａ）は
本発明の電気光学装置としての第２実施形態の液晶装置を示す部分側面図、同図（ｂ）は
その図１のＣ−Ｃ断面に対応する部分断面図である。
【００３８】
第２実施形態の液晶装置１は、カバー５の側壁５２に設けられる係合部と、その係合部
が係合されるバックライトユニット３の係合箇所の構成だけが第１実施形態の液晶装置１
と相違し、その他は第１実施形態と同様である。第２実施形態のカバー５の側壁５２に設
けられる係合部は、側壁５２の端部を切り起こして形成されたフック状の係合爪５２ｄに
なっており、バックライトユニット３の側部には、係合爪５２ｄが係合される段差になっ
た係合凹部３ｂが、支持部４４側と反対側の周縁から切り欠くようにして形成されている
。カバー５を液晶パネル２及びバックライトユニット３を保持しているフレーム４に取り
付ける際には、側壁５２の先端をバックライトユニット３側にして液晶パネル２側から進
行させ、カバー５の係合爪５２ｄをバックライトユニット３の係合凹部３ｂに係合して取
り付ける。尚、カバー５とバックライトユニット３の係合構造は第１、第２実施形態以外
にも適宜であり、何れか一方に凸部や爪等の係入部を設け、他方に凹部や穴等の係入部を
受け入れる受入部を設ければよい。
【００３９】
第２実施形態によれば、カバー５とバックライトユニット３の係合を容易且つ確実に行
うことができると共に、その係合離脱を容易に行うことができる。その他に第１実施形態
と対応する構成により、第１実施形態と同様の効果を奏することができる。
【００４０】
〔第３実施形態の電気光学装置〕
次に、第３実施形態の電気光学装置としての液晶装置について説明する。図８（ａ）は
本発明の電気光学装置としての第３実施形態の液晶装置の図１のＢ−Ｂ断面に対応する部
分断面図、同図（ｂ）はその図１のＣ−Ｃ断面に対応する部分断面図である。
【００４１】
第３実施形態の液晶装置１は、カバー５の天板５１の内側面と、フレーム４の側壁４３
のバックライトユニット３の照射光出射側の端部４３ｂとが当接し、係合穴５２ｃと係合
突起３ａとの係合でカバー５に係合されているバックライトユニット３が、カバー５によ
りフレーム４に付勢されており、その他の構成は第１実施形態と同様である。本実施形態
のカバー５は、係合穴５２ｃの係合突起３ａへの係合を容易にするため、バネ性、弾性を
有するものとすることが好ましい。尚、カバー５とバックライトユニット３の係合構造は
、第１、第２実施形態と同様に適宜である。第３実施形態によれば、バックライトユニッ
ト３をフレーム４の所定位置により安定して設置することができる。その他に第１実施形
態と対応する構成により、第１実施形態と同様の効果を奏することができる。
【００４２】
〔第４実施形態の電気光学装置〕
次に、第４実施形態の電気光学装置としての液晶装置について説明する。図９（ａ）は
本発明の電気光学装置としての第４実施形態の液晶装置の図１のＢ−Ｂ断面に対応する部
分断面図、同図（ｂ）はその図１のＣ−Ｃ断面に対応する部分断面図である。
【００４３】
第４実施形態の液晶装置１は、カバー５の天板５１の内側面が液晶パネル２の偏光板１
１に当接し、カバー５が液晶パネル２をフレーム４に付勢しているものであり、その他の
構成は第３実施形態と同様である。本実施形態では、カバー５の天板５１が液晶パネル２
の偏光板１１を付勢しているが、素子基板１０など基板を直接付勢する構成としてもよい
。第４実施形態によれば、液晶パネル２をフレーム４の所定位置により安定して設置する
ことができると共に、第３実施形態と同様の効果を奏することができる。
【００４４】
〔実施形態の変形例等〕
本発明は上記実施形態に限定されるものではなく、本発明の目的を達成できる範囲内で
変形、改良等したものも本発明に含まれる。例えば上記実施形態は、本発明を電気光学装
置として液晶装置に適用し、電気光学パネルとしてアクティブマトリックス型の液晶パネ
ルを用いた場合を例にして説明したが、パッシブマトリクス型の液晶パネルを用いてもよ
く、また液晶パネルに限らず、その他各種の電気光学パネルを用いる電気光学装置として
もよい。
【００４５】
また、本発明の電気光学装置は、各種の電子機器の表示部等として用いることができる
。図１０はその一例を示すもので、実施形態の液晶装置１を、電子機器７としてのデジタ
ルカメラ７０におけるエレクトリカルビューファインダ（ＥＶＦ）として用いたものであ
る。図中７１は画像表示モニタ、７２はシャッタボタン、７３はダイヤルスイッチ、７４
は電源ボタンである。
【００４６】
また、本発明による電気光学装置を用いる電子機器は、デジタルカメラ７０に限定され
ず、その他各種の電子機器に適用可能である。例えば携帯電話機やＰＤＡ（Personal Dig
ital Assistants）と呼ばれる携帯型情報機器、携帯型パーソナルコンピュータ、パーソ
ナルコンピュータ、ワークステーション、デジタルスチルカメラ、車載用モニタ、デジタ
ルビデオカメラ、液晶テレビ、ビューファインダ型、モニタ直視型のビデオテープレコー
ダ、カーナビゲーション装置、ページャ、電子手帳、電卓、ワードプロセッサ、ワークス
テーション、テレビ電話機、およびＰＯＳ端末機などの電子機器にも広く利用することが
できる。
【図面の簡単な説明】
【００４７】
【図１】（ａ）は本発明の第１実施形態の電気光学装置としての液晶装置を示す平面図、（ｂ）はその側面図。
【図２】図１におけるＡ−Ａ断面図。
【図３】図１におけるＢ−Ｂ断面図。
【図４】図１におけるＣ−Ｃ断面図。
【図５】（ａ）は電気光学パネルとしての液晶パネルの具体的な構成の一例を示す平面図、（ｂ）は（ａ）におけるａ−ａ断面図。
【図６】（ａ）は液晶パネルとバックライトユニットをフレームに取り付ける工程を説明する説明図、（ｂ）は液晶パネルとバックライトユニットを保持するフレームにカバーを取り付ける工程を説明する説明図。
【図７】（ａ）は本発明の電気光学装置としての第２実施形態の液晶装置を示す部分側面図、（ｂ）はその図１のＣ−Ｃ断面に対応する部分断面図。
【図８】（ａ）は本発明の電気光学装置としての第３実施形態の液晶装置の図１のＢ−Ｂ断面に対応する部分断面図、（ｂ）はその図１のＣ−Ｃ断面に対応する部分断面図。
【図９】（ａ）は本発明の電気光学装置としての第４実施形態の液晶装置の図１のＢ−Ｂ断面に対応する部分断面図、（ｂ）はその図１のＣ−Ｃ断面に対応する部分断面図。
【図１０】本発明の電気光学装置としての液晶装置を用いた電子機器としてのデジタルカメラの背面図。
【符号の説明】
【００４８】
１…液晶装置（電気光学装置）  ２…液晶パネル（電気光学パネル）２Ａ…画素領域（画
像表示領域）  ３…バックライトユニット  ３ａ…係合突起  ３ａ１…傾斜面  ３ｂ…係
合凹部  ３１…両面接着テープ  ４…フレーム  ４ａ、４ｂ…凹部  ４１、４２、４３…
側壁  ４１ａ、４２ａ…突出部  ４１ｂ、４１ｃ…凹部  ４３ａ…張出部  ４３ｂ…端部
４４…支持部  ４４ａ…開口部  ４４ｂ…接着材溜り  ４５…嵌合面  ５…カバー（遮
光部材）  ５１…天板  ５１ａ…窓部  ５２…側壁  ５２ａ…凹部  ５２ｂ…突出部  ５
２ｃ…係合穴  ５２ｄ…係合爪  ６…実装ケース  ７…電子機器  ７０…デジタルカメラ
７１…画像表示モニタ  ７２…シャッタボタン  ７３…ダイヤルスイッチ  ７４…電源
ボタン  １０…素子基板  １１…偏光板  １２…画素電極  １３…配向膜  １４…データ
線駆動回路  １５…外部回路接続端子  １６…走査線駆動回路  １７…配線  １８…上下
導通材  １９…上下導通端子  ２０…対向基板  ２０ａ…内側面  ２１…偏光板  ２２…
対向電極  ２３…配向膜  ２４…シール材  ２４ａ…液晶注入口  ２４ｂ…封止材  ２５
…遮光膜  ２６、２７…可撓性プリント配線基板  ３０…液晶層
【図１】
2010117640.tif 000003
【図２】
2010117640.tif 000004
【図３】
2010117640.tif 000005
【図４】
2010117640.tif 000006
【図５】
2010117640.tif 000007
【図６】
2010117640.tif 000008
【図７】
2010117640.tif 000009
【図８】
2010117640.tif 000010
【図９】
2010117640.tif 000011
【図１０】
2010117640.tif 000012